(57)【要約】【課題】  道端等に数カ所に亘って排泄されるペットの排泄物を順次、円滑且つ確実に処理することができるペットの排泄物処理袋を提供する。【解決手段】  底部を上方に折り返して断面逆Ｖ字状の排泄物受け入れ凹部３に形成している携帯袋１に複数枚の排泄物収納用袋２を層状に重ね合わせた状態で被せてあり、この携帯袋１内に手を挿入して上記排泄物受け入れ凹部３を拡開させ、その拡開した該凹部３を排泄物Ａに被せるようにして排泄物Ａを凹部３上に重ね合わせている最上層の排泄物収納用袋２の外底部内に包み込んだ状態とし、この状態にして該凹部３を閉じる方向に作動させて排泄物Ａを掴持したのち、上記最上層の排泄物収納用袋２を携帯袋１上から捲りながら反転させることにより携帯袋１から剥離して該収納用袋２の底部内に排泄物Ａを収納し、以下、同様にして複数枚の排泄物収納用袋２を使用する。【選択図】    図４
2008125379.tif 000002
【特許請求の範囲】
【請求項１】
携帯袋とこの携帯袋に順次剥離可能に被せている複数枚の排泄物収納用袋とからなり、携帯袋は、その底部を該携帯袋の対向する内面間に折り返してこの折り返した外面間で下方に向かって開口した開閉自在な排泄物受け入れ凹部を形成していると共に折り返した内面とこの内面に対向する携帯袋の内面間で親指挿入空間部とその他の指の挿入空間部とをそれぞれ形成してなり、この携帯袋に順次剥離可能に被せている上記複数枚の排泄物収納用袋は、その底部を上方に向かって折り返して携帯袋の上記排泄物受け入れ凹部上に重ね合わせていることを特徴とするペットの排泄物処理袋。
【請求項２】
携帯袋の内面に排泄物を収納した袋の収納用ポケットを設けていることを特徴とする請求項１に記載のペットの排泄物処理袋。
【請求項３】
携帯袋の開口端部における前後面にフラップ片を設け、これらのフラップ片の対向面間に、携帯袋に被せている排泄物収納用袋の開口端部を前後から挟着する互いに磁着可能な磁石片を取り付けていることを特徴とする請求項１に記載のペットの排泄物処理袋。
【請求項４】
携帯袋は前後幅方向の中央部を上方に向かって断面逆Ｖ字状に折り返している平面四角形状の底部シート片の前後端縁と両側端縁とに一定高さの前後シート片と両側襠片とを周方向に一体に連設してなると共に、両側襠片の前後幅方向の中央部を内側に向かって二つ折りして、上記上方に向かって折り返えしている底部シート片の外面間で形成された排泄物受け入れ凹部の前後方向の開閉と共にこの両側襠片を前後方向に開閉可能に形成していることを特徴とする請求項１に記載のペット排泄物処理袋。
【請求項５】
各排泄物収納用袋の上端部内に輪ゴムを付帯させていることを特徴とする請求項１に記載のペットの排泄物処理袋。
【請求項６】
両側襠片の前半部と後半部との対向する外面に互いに着脱自在に磁着する磁石片を取り付けていることを特徴とする請求項４に記載のペットの排泄物処理袋。
【発明の詳細な説明】
【技術分野】
【０００１】
本発明は犬や猫などのペットの排泄物を処理するための排泄物処理袋に関するものである。
【背景技術】
【０００２】
従来から、例えば犬の散歩中に犬が排泄した糞（以下、排泄物という）を処理するための袋としては、特許文献１に記載されているような排泄物処理袋が知られている。この排泄物処理袋は、可撓性を有する合成樹脂シートよりなる偏平な内袋に紙等の柔軟性材料からなる外袋を剥離可能に被せた二重構造に形成してなり、使用に際しては、まず、内袋の開口上端から該内袋内に一方の手を挿入した状態で外袋の外底面を排泄物上に押し付けることにより、この外袋の底部を内袋の底部と一体に排泄物に沿って上方に凹入、変形させて排泄物を変形した外袋の外底部内に受け入れさせ、この状態にして排泄物を掴持し、次いで、排泄物を掴持した一方の手を上方に引き上げる一方、他方の手で内外袋の開口端部を底部側に引き下ろすことにより内袋が外側に、外袋が内側になるように反転させ、この反転した二重袋内に排泄物を収納した状態で携行したのち、家庭内で外側の袋から排泄物を収納している内側の袋を引き出して水洗トイレ等に流すことにより処理するように構成している。
【０００３】
この際、排泄物を収納する袋（以下、排泄物収納用袋とする）が非水溶性の合成樹脂フィルム等から形成されている場合には、この排泄物収納用袋から排泄物を水洗トイレ等に流したのち、該排泄物収納用袋を不燃ゴミとして処理し、残った内袋を再使用可能に構成することも行われている。
【特許文献１】特開２００３−１４３９９４号公報
【発明の開示】
【発明が解決しようとする課題】
【０００４】
しかしながら、上記のような排泄物処理袋によれば、使用に際して排出物を外袋内に包み込む際に、上述したように、この外袋の外底面を排泄物上に押し付けることにより、該外袋の底部と内袋の底部とを一体に排泄物の表面に沿って上方に凹入、変形させなければならないために、押付け力が強すぎると排泄物が偏平状に変形して掴持がし難くなる虞れがあると共に、内外袋の底部が内袋内に挿入した手により直接、掴持される排泄物の一部分に沿って凹入、変形させることができても、他の部分が排泄物を完全に内包した状態に変形させることが困難であって、一度の操作で排泄物全体を掴持することができなくなり、排泄物の掴持作業に手間を要すると共に一部が路面に残存する事態が生じるといった問題点があった。
【０００５】
さらに、犬の散歩途中等で、一度、内袋に被せている外袋を使ってしまうと、次の排泄物を処理することができなくなり、そのため、予め別に外袋を準備しておき、この外袋を上記内袋に被せればよいが、その作業に手間を要するばかりでなく、この内袋内には先に使用した上記排泄物を収納している外袋が収納されているため、該内袋内に手を挿入して排泄物の掴持操作ができなくなり、この操作を可能にするには、排泄物を収納している外袋を取り出して別な収納袋内等に移し替えておく必要があるといった問題点があった。
【０００６】
本発明はこのような問題点に鑑みてなされたもので、その目的とするところは、排泄物全体を排泄物収納用袋の底部内に包み込んだ状態で簡単且つ確実に掴持、収納処理することができると共に、次の排泄物の処理作業も同様にして順次容易に行うことができるようにしたペットの排泄物処理袋を提供するにある。
【課題を解決するための手段】
【０００７】
上記目的を達成するために、本発明のペットの排泄物処理袋は、請求項１に記載したように、携帯袋とこの携帯袋に順次剥離可能に被せている複数枚の排泄物収納用袋とからなり、携帯袋は、その底部を該携帯袋の対向する内面間に折り返してこの折り返した外面間で下方に向かって開口した開閉自在な排泄物受け入れ凹部を形成していると共に折り返した内面とこの内面に対向する携帯袋の内面間で親指挿入空間部とその他の指の挿入空間部とをそれぞれ形成してなり、この携帯袋に順次剥離可能に被せている上記複数枚の排泄物収納用袋は、その底部を上方に向かって折り返して携帯袋の上記排泄物受け入れ凹部上に重ね合わせた構造としている。
【０００８】
このように構成したペットの排泄物処理袋において、請求項２に係る発明は、上記携帯袋の内面に排泄物を収納した袋の収納用ポケットを設けていることを特徴とし、請求項３に係る発明は、携帯袋の開口端部における前後面にフラップ片を設け、これらのフラップ片の対向面間に、携帯袋に被せている排泄物収納用袋の開口端部を前後から挟着する互いに磁着可能な磁石片を取り付けていることを特徴とする。
【０００９】
さらに、請求項４に係る発明は、前後幅方向の中央部を上方に向かって断面逆Ｖ字状に折り返している平面四角形状の底部シート片の前後端縁と両側端縁とに一定高さの前後シート片と両側襠片とを周方向に一体に連設することによって上記携帯袋を形成していると共に、両側襠片の前後幅方向の中央部を内側に向かって二つ折りして、上方に向かって折り返えしている上記底部シート片の外面間で形成された排泄物受け入れ凹部の前後方向の開閉と共にこの両側襠片を前後方向に開閉可能に形成していることを特徴とし、請求項５に係る発明は、上記各排泄物収納用袋の上端部内に輪ゴムを付帯させていることを特徴とする。また、上記請求項４に記載の発明において、請求項６に係る発明は、両側襠片の前半部と後半部との対向する外面に互いに着脱自在に磁着する磁石片を取り付けていることを特徴とする。
【発明の効果】
【００１０】
請求項１に係る発明によれば、携帯袋は、その底部を該袋本体の対向する内面間に折り返してこの折り返した外面間で下方に向かって開口した開閉自在な排泄物受け入れ凹部を形成していると共に折り返した内面とこの内面に対向する携帯袋の内面間で親指挿入空間部とその他の指の挿入空間部とをそれぞれ形成してなり、さらに、この携帯袋に剥離可能に被せている排泄物収納用袋は、その底部を上方に向かって折り返して携帯袋の上記排泄物受け入れ凹部上に重ね合わせているので、排泄物を掴持する際には、袋の外底面を排泄物に押し付けることなく、携帯袋内の親指挿入空間部とその他の指の挿入空間部とに挿入した一方の手によってこの排泄物受け入れ凹部を大きく開いた状態にして該排泄物受け入れ凹部に沿って配設している排泄物収納用袋の底部内に排泄物全体を包み込ませることができ、この状態で該排泄物受け入れ凹部を閉じる方向に操作することによって排泄物全体を排泄物収納用袋の底部に内包させた状態を維持しながら簡単且つ確実に掴持することができる。
【００１１】
さらに、この状態から排泄物収納用袋の上端開口部を他方の手で摘んで下方に反転させながら携帯袋の外面から剥離することにより、底部内に排泄物を収納したこの排泄物収納用袋を携帯袋から簡単に離脱させることができる。その上、この携帯袋には底部を上方に向かって折り返して該携帯袋の上記排泄物受け入れ凹部上に重ね合わせている複数枚の排泄物収納用袋を層状に剥離可能に被せているので、犬の散歩中等において２回以上の排泄が行われても、新たな排泄物収納用袋を携帯袋に被せる作業を行うことなく、重ね合わせている複数枚の排泄物収納用袋を外側から順次、上記同様にして排泄物の収納処理に使用することができ、複数回の排泄物処理が円滑且つ確実に行うことができる。また、これらの排泄物収納用袋を全て使用した後においては、新たな排泄物収納用袋を複数枚、上記携帯袋の外面上に被せることによって、再び、排泄物の収納処理に使用することができる。
【００１２】
請求項２に係る発明によれば、上記携帯袋の内面に排泄物を収納した袋の収納用ポケットを設けているので、排泄物を収納した袋を携帯袋から取り外した後に、このポケットに該袋を収納して携行することができるばかりでなく、携帯袋に被せている排泄物収納用袋によって次の排泄物を処理する際には、この排泄物を収納している袋の存在にもかかわらず、一方の手を携帯袋内の親指挿入空間部とその他の指の挿入空間部に確実に挿入することができて該排泄物収納用袋内への排泄物の収納作業が上記同様に容易に行うことができる。
【００１３】
また、請求項３に係る発明によれば、上記携帯袋の開口端部における前後面にフラップ片を設け、これらのフラップ片の対向面間に、携帯袋に被せている排泄物収納用袋の開口端部を前後から挟着する互いに磁着可能な磁石片を取り付けているので、携行中等において、携帯袋上に順次層状に被せている複数枚の排泄物収納用袋が不測に捲れるのを互いに磁着した磁石片による挟着力によって確実に防止してこれらの排泄物収納用袋を携帯袋上に整然とした状態で被せておくことができ、この状態で体裁よく携行することができると共に、使用時にはこれらの一対の磁石片によって閉止されている携帯袋の上端開口部を拡げることによって磁石片が同時に離間してその挟着力を簡単に解くことができる。
【００１４】
請求項４に係る発明によれば、上記携帯袋は前後幅方向の中央部を上方に向かって断面逆Ｖ字状に折り返している平面四角形状の底部シート片の前後端縁と両側端縁とに一定高さの前後シート片と両側襠片とを周方向に一体に連設してなると共に、両側襠片の前後幅方向の中央部を内側に向かって二つ折りして、上記上方に向かって折り返えしている底部シート片の外面間で形成された排泄物受け入れ凹部の前後方向の開閉と共にこの両側襠片を前後方向に開閉可能に形成しているので、不使用時には、底面シート片と両側襠片とをそれぞれ折り重ねておくことによって前後シート片の対向内面が互いに接合した状態の偏平の携帯袋として嵩張ることなく手軽に携行することができるのは勿論、使用時には底部シート片と両側襠片とを開くことによって排泄物受け入れ凹部の開口幅を大きくすることができ、従って、多量の排泄物を一度に該排泄物受け入れ凹部内に重ね合わせている排泄物収納用袋の底部内に収納することができて排泄物の収納作業が能率よく行えるものである。
【００１５】
また、請求項５に係る発明によれば、各排泄物収納用袋の上端部内に輪ゴムを付帯させているので、この排泄物収納用袋内に排泄物を収納して該排泄物収納用袋を携帯袋から取り外したのちに、この排泄物収納用袋の上端開口部を該排泄物収納用袋に付帯させている輪ゴムによって簡単且つ確実に密閉することができ、排泄物自体が外部に漏出したり排泄物の臭気等が外部に放散するの防止することができる。なお、上記請求項４に記載の発明において、請求項５に係る発明は、両側襠片の前半部と後半部との対向する外面に互いに着脱自在に磁着する磁石片を取り付けているので、排泄物処理袋を確実に偏平状に保持しておくことができると共に使用時においては、携帯袋の開口端を解放することによって簡単に磁石片同士の磁着を解くことができる。
【発明を実施するための最良の形態】
【００１６】
次に、本発明の具体的な実施の形態を図面について説明すると、図１は排泄物処理袋の斜視図、図２はその簡略縦断側面図、図３は拡げた状態を示す斜視図であって、この排泄物処理袋は、上端が開口した正面四角形状の偏平な携帯袋１と、この携帯袋１の外面に順次、剥離可能に被せている複数枚の排泄物収納用袋２とからなり、携帯袋１は、その底部を該携帯袋１の対向する前後内面間内に上方に向かって断面逆Ｖ字状に折り返して挿入することにより、この折り返した底部の前後外面1a1 、1a1 間で、下端が下方に向かって全面的に開口している断面逆Ｖ字状の排泄物受け入れ凹部３を形成していると共に、上記折り返した底部の前後内面1a2 、1a2 とこれらの前後内面1a2 、1a2 にそれぞれ対向する携帯袋１の前後周壁部の内面1b1 、1c1 との間で、親指挿入空間部４とその他の指（第２指〜第５指）の挿入空間部５をそれぞれ形成してなるものである。
【００１７】
この携帯袋１は、四角形状の前後シート片の両側端縁同士と下端縁同士とを一体に連設してなる偏平な袋の下部（底部）を前後シート片の内面間に上方に向かって断面逆Ｖ字状に折り返すことにより形成してもよいが、図においては、平面四角形状の底部シート片1Aの四方周端縁に上方に向かって一定高さを有する周壁部を設けてなるボックス形状の袋体から形成している。
【００１８】
具体的には、底部シート片1Aの前後端縁と両側端縁とに一定高さを有する四角形状の前後シート片1B、1Cと両側襠片1D、1Dとの下端を縫着等によりそれぞれ一体に連設させ、且つ、前後シート片1B、1Cの対向する両側端に両側襠片1D、1Dの前後端縁を縫着等により一体に連設させることによって上記周壁部を形成してあり、この袋体の底部シート片1Aにおける前後幅方向の中央部を全長に亘って上方に向かって断面逆Ｖ字状に折り返して前後シート片1B、1Cの対向内面間に挿入することにより、折り返した底部シート片1Aの対向する前後外面1a1 、1a1 間で上記排泄物受け入れ凹部３を形成していると共に、この折り返した底部シート片1Aの前後内面1a2 、1a2 とこれらの前後内面1a2 、1a2 にそれぞれ対向する上記前後シート片1B、1Cの内面1b1 、1c1 との間で上記親指挿入空間部４とその他の指（第２指〜第５指）の挿入空間部５をそれぞれ形成している。
【００１９】
さらに、上記両側襠片1D、1Dはその前後幅方向の中央部を全長に亘って内側に向かって横断面Ｖ字状に二つ折りして、その屈折した中央部を介して前半部1D1 と後半部1D2 とを互いに前後方向に開閉可能に形成していると共にこれらの両側襠片1D、1Dの開閉と同時に上記底部シート片1Aの外面1a1 、1a1 間で形成された排泄物受け入れ凹部３をその上端屈折部1a3 を介して前後方向に開閉させるように構成している。そして、これらの排泄物受け入れ凹部３と両側襠片1D、1Dとを閉じた状態においては、携帯袋１の前後シート片1B、1Cの対向内面同士が重なりあって携帯袋１が偏平な袋となるように構成している。
【００２０】
この携帯袋１における前後シート片1B、1Cの内面には上端が開口したポケット６、６が設けられあり、このポケット６、６を介して前後シート片1B、1Cの内面1b1 、1c1 と上記折り返した底部シート片1Aの前後内面1a2 、1a2 との間に上記親指挿入空間部４とその他の指の挿入空間部５がそれぞれ設けられている。具体的には、ポケット６、６は、矩形状の布片6'、6'の両側端縁と下端縁とをそれぞれ前後シート片1B、1Cの内面1b1 、1c1 に縫着等によって取り付けることにより、この布片6'、6'と前後シート片1B、1Cの内面1b1 、1c1 間でそれぞれ形成されてあり、布片6'と上記上方に向かって折り返している底部シート片1Aの前後内面1a2 、1a2 との間で上記親指挿入空間部４とその他の指の挿入空間部５をそれぞれ形成しているものである。なお、このポケット６の開口端を適宜な留め具によって開閉自在に閉止するように構成しておいてもよい。
【００２１】
また、上記前後シート片1B、1Cの上端縁にはそれぞれ携行用の把手７、７が取り付けられていると共に、該前後シート片1B、1Cの上端中央部に内外面間に貫通した孔10、10が設けられてあり、さらに、これらの前後シート片1B、1Cの上端縁中央部にフラップ片８、８の上端部を前後方向に開閉自在に接続し、これらの前後フラップ片８、８の対向面に上記孔10、10を介して互いに磁着可能な磁石片９、９を取り付けている。なお、携帯袋１は、布や柔軟な合成樹脂製シート、或いは合成皮革等の可撓性と柔軟性を有するシート材料からなり、上記ポケット６、６やフラップ片８、８も同一材料から形成されている。
【００２２】
このように構成した携帯袋１の外面に順次、剥離可能に被せている複数枚の排泄物収納用袋２は、塩化ビニルフィルム等の柔軟な薄肉合成樹脂フィルムや水溶性を有する紙等の柔軟なシート材からなり、携帯袋１と同じ形状に形成されていてその底部2Aを携帯袋１の上方に向かって折り返している断面逆Ｖ字状の底部シート片1Aの外面に重なるように同一断面形状でもって上方に向かって折り返していると共に、両側部を上記両側襠片1D、1Dの外面に重なるように横断面Ｖ字状に曲折させてあり、さらに、携帯袋１の外周面を上端開口部にまで被覆している。また、全ての排泄物収納用袋２の上端部内面に輪ゴム11を取り外し可能に接着或いは粘着テープ片等によって付帯させている。なお、上記両側襠片1D、1Dの前半部1D1 と後半部1D2 との対向する外面に互いに磁着する磁石片12、12を取り付けてあり、これらの磁石片12、12によって両側襠片1D、1Dの外面に重ね合わせている排泄物収納用袋２の側部を挟持させている。
【００２３】
携帯袋１の外面に複数枚の排泄物収納用袋２を層状に重ね合わせた状態で被せるには、一枚の排泄物収納用袋２が最外層側に配設されるように、この排泄物収納用袋２内に複数枚の排泄物収納用袋２を順次挿嵌して層状に重ね合わせ、この層状に重ね合わせた排泄物収納用袋２における最内層の排泄物収納用袋２内に携帯袋１を挿嵌させてこれらの排泄物収納用袋２の底部（下部）を上方に折り返して携帯袋１における上方に向かって折り返している断面逆Ｖ字状の底部シート片1Aの外面に重ね合わせると共に、これらの排泄物収納用袋２の両側部を内側に向かって横断面Ｖ字状に曲折して携帯袋１の両側襠片1D、1Dの外面上に重ね合わせることにより行うことができる。
【００２４】
このように構成した排泄物処理袋は不使用時や携行時には、図１に示すように、排泄物受け入れ凹部３を閉じて袋全体を偏平状にすると共に前後フラップ片８、８の対向面に取り付けている磁石片９、９同士を磁着させることによりこれらの磁石片９、９で携帯袋１に被せている複数枚の排泄物収納用袋２の上端開口部を挟着させておく。そして、犬を散歩させる際にはこの排泄物収納用袋の把手７、７を握って携行し、道端等に排泄した場合には、排泄物収納用袋２の底部内に該排泄物Ａを取り込んで収納する。
【００２５】
この排泄物収納作業は、まず、把手７、７を互いに前後方向に離れるように引っ張ることによって携帯袋１の前後シート片1B、1C間を拡げて携帯袋１の上端開口部を開口させる。この際、前後シート片1B、1C間を拡げる方向に上記引張力を作用させると、互いに磁着している磁石片９、９、12、12がその引張力によって離れて排泄物収納用袋２の上端開口部に対する挟着を解くと共に該開口部が拡開する。
【００２６】
次いで、一方の手を拡開した携帯袋１内に挿入してその親指とその他の指とを前後シート片1B、1Cの内面1b1 、1c1 とこの携帯袋１内に突出させている底部シート片1Aの前後内面1a2 、1a2 間でそれぞれ形成した親指挿入空間部４とその他の指の挿入空間部５にそれぞれ差し込み、携帯袋１内に突出した断面逆Ｖ字状の底部シート片1Aを挟んだ状態にする。この状態から手を拡げる方向に動かすと、前後シート片1B、1Cの下部が互いに前後方向に押し拡げられて上記底部シート片1Aの断面逆Ｖ字状に屈折した外面によって形成されている排泄物受け入れ凹部３が大きく開口する。この際、該排泄物受け入れ凹部３の外面に沿って重ねている複数枚の排泄物収納用袋２の底部も一体的に拡開させられて上方に向かって凹んだ排泄物収納凹部3'となる。
【００２７】
この状態にして図４に示すように、該排泄物収納凹部3'を排泄物Ａ上に被せてこの凹部3'内に排泄物Ａ全体を包み込み、しかるのち、手を掴持する方向に動かすことにより、排泄物受け入れ凹部３を閉じる方向に作動させて排泄物Ａを排泄物収納用袋２の排泄物収納凹部3'を介して掴持し、図５に示すように、最外層の排泄物収納用袋２の排泄物収納凹部3'に該排泄物Ａを内包させた状態にする。次いで、他方の手でこの最外層の排泄物収納用袋２の上端部を摘んで図６に示すように、下方に捲っていくことにより該排泄物収納用袋２を内面側が外面に、外面側が内面となるように反転させながら携帯袋１上から剥離させる。そうすると、この排泄物収納用袋２の内面側に反転した上記排泄物収納凹部3'内に排泄物が収納された状態となる。
【００２８】
こうして、排泄物収納用袋２の底部内に排泄物Ａを収納したのち、この排泄物収納用袋２に取り付けている輪ゴム11を使用して排泄物収納用袋２の開口部を密閉し、図７に示すように携帯袋１のポケット６内に収納する。そして、次の排泄物を排泄物収納用袋２内に収納処理するには、上記同様にして携帯袋１内に設けている親指挿入空間部４とその他の指の挿入空間部５に手を差し込み、排泄物受け入れ凹部３を拡開させて携帯袋１上に層状に被せている次の排泄物収納用袋２の底部の排泄物収納凹部3'内に排泄物を掴み取り、しかるのち、該排泄物収納用袋２を上端開口部側から捲りながら反転させて携帯袋１上から剥離させることによりこの排泄物収納用袋２の底部内に排泄物を収納する作業を行えばよい。
【００２９】
以下、同様にして携帯袋１に層状に被せている複数枚の排泄物収納用袋２を順次、使用して上記のように排泄物Ａの収納処理に供し、全ての排泄物収納用袋２を使用したのちには、新たに複数枚の排泄物収納用袋２を上記携帯袋１に層状に被せた状態にして再使用する。なお、携行時には、排泄物受け入れ凹部３と両側襠片1D、1Dとを閉じて携帯袋１を偏平状にする。
【００３０】
以上の実施例においては、携帯袋１としてその両側に内側に向かってＶ字状に折り畳み可能な襠片1D、1Dを設けてなる構造の袋を示したが、このような襠片1D、1Dは必ずしも必要とすることはなく、前後シート片1B、1Dの両側端縁と下端縁とを縫着等によって一体に連設してなる袋体の底部を、図８に示すように、該袋体の前後シート片1B、1Cの対向する内面間に向かって上方に折り返してこの折り返した外面間で下方に向かって開口した開閉自在な排泄物受け入れ凹部３を形成すると共に、折り返した内面とこの内面に対向する袋体の内面間で親指挿入空間部とその他の指の挿入空間部（図示せず）とをそれぞれ形成してなる携帯袋１を構成し、この携帯袋１に複数枚の排泄物収納用袋２を層状にして被せることによって排泄物処理袋を構成しておいてもよい。その他の構成については上記実施例と同様であるので、同一部分には同一符号を付して詳細な説明を省略する。
【図面の簡単な説明】
【００３１】
【図１】本発明排泄物処理袋の斜視図。
【図２】その簡略縦断側面図。
【図３】拡開した状態を示す斜視図。
【図４】排泄物収納開始状態を示す縦断側面図。
【図５】排泄物受け入れ凹部内に包み込んだ状態を示す縦断側面図。
【図６】最外層の排泄物収納用袋を反転している状態を示す縦断側面図。
【図７】排泄物を収納した袋をポケットに収納する状態を示す縦断側面図。
【図８】本発明の別な実施例を示す斜視図。
【符号の説明】
【００３２】
１  携帯袋
２  排泄物収納用袋
３  排泄物受け入れ凹部
４  親指挿入空間部
５  その他の指の挿入空間部
６  ポケット
７  把手
８  フラップ片
９  磁石片
11  輪ゴム
12  磁石片
【図１】
2008125379.tif 000003
【図２】
2008125379.tif 000004
【図３】
2008125379.tif 000005
【図４】
2008125379.tif 000006
【図５】
2008125379.tif 000007
【図６】
2008125379.tif 000008
【図７】
2008125379.tif 000009
【図８】
2008125379.tif 000010